(57)【要約】      （修正有）【課題】嘔吐物の液分を迅速に吸収、固形化すると共に、嘔吐後の口や手を清浄して安全で短時間に収容作業を完了できる嘔吐袋を提供する。【解決手段】嘔吐袋中に液分固化剤を水溶性の包装材で包んだものと嘔吐後に使用する清浄用紙片を保持させる。この際、嘔吐袋が密封状態であれば鮮度の維持と誤用途防止の上で望ましい形態である。嘔吐時はまず、嘔吐袋を開封して清浄用紙片を取出して別に置いた後、液分固化剤を嘔吐袋に投入し嘔吐行為を行なう。嘔吐袋は暫らく放置すると、水溶性包装材が嘔吐物の液分で溶け、液分固化剤が現出し、嘔吐物は固形化する。その後、先に取り出しておいた紙片で口周辺や手などを清浄して嘔吐袋に投入して袋を閉じる【選択図】図３
0003143048.tif 000002
【実用新案登録請求の範囲】
【請求項１】
嘔吐物の液分を固化する手段が水溶性の包装材料で包装された事を特徴とする嘔吐袋
【請求項２】
前記嘔吐物の液分を固化する手段と清浄用の紙片が保持されている事を特徴とする請求項１記載の嘔吐袋
【請求項３】
前記嘔吐物の液分を固化する手段と清浄用の紙片が嘔吐袋中に密封保持されている事を特徴とする請求項１及び２記載の嘔吐袋
【考案の詳細な説明】
【技術分野】
【０００１】  本考案は体調不良によって起こる嘔吐物を収容、清浄する際の嘔吐袋に関し、嘔吐物の固化剤が誤飲、誤食されるのを防ぎ、かつ嘔吐物の液分を固化、収容するのに迅速な処理が可能で、収容した嘔吐物の取り扱いが容易で、嘔吐後の口や手などを拭くための清浄紙片を備える。併せて嘔吐物中のウィルスや細菌からの感染を予防する手段を保持した嘔吐袋に関する。
【背景技術】
【０００２】  従来、嘔吐が発生する環境ではポリエチレン袋や紙にポリエチレンをラミネートした袋中に嘔吐物を吐く事で嘔吐物を収容している。ところが、この方法では嘔吐袋中の嘔吐物が液状或いは泥状に存在するため、嘔吐物の臭気や漏れ等が発生して取り扱いが厄介であった。また、ウィルスや細菌に感染した感染者の嘔吐物で汚染された環境では、厳重な取り扱いが必要であるが、感染物であるか否か不明の場合が多々あるため、嘔吐物や清浄用紙片等を安全に短時間で収容作業が完了できる手段の提供が望まれていた。
【考案の開示】
【考案が解決しようとする課題】
【０００３】  本考案は嘔吐物を嘔吐袋に収容する際、嘔吐物液分の固化剤が誤飲、誤食されるのを防ぎ、かつ嘔吐時に固化剤が舞い上がるのを防止する手段を有し、嘔吐物の液分を迅速に吸収、固形化すると共に、嘔吐後の口や手を清浄して安全で短時間に収容作業を完了できる手段の提供にある。
【課題を解決するための手段】
【０００４】  上記の課題を解決すべく本考案者らは鋭意検討した結果、上記の課題は次のような手段によって解決できる事がわかった。
即ち、嘔吐袋中に液分固化剤を水溶性の包装材で包んだものと嘔吐後に使用する清浄用紙片を保持させる。この際、嘔吐袋が密封状態であれば鮮度の維持と誤用途防止の上で望ましい形態である。嘔吐時はまず、嘔吐袋を開封して清浄用紙片を取出して別に置いた後、液分固化剤を嘔吐袋に投入し嘔吐行為を行なう。嘔吐袋は暫らく放置すると、水溶性包装材が嘔吐物の液分で溶け、液分固化剤が現出し、嘔吐物は固形化する。その後、先に取り出しておいた紙片で口周辺や手などを清浄して嘔吐袋に投入して袋を閉じる態様である。
【考案の効果】
【０００５】  本考案の嘔吐物の液分を固化する液分固化剤を水溶性の材料で包装したものと嘔吐後の清浄用紙片を嘔吐袋中に保持したことで、液分固化剤の誤飲、誤食を防止し、嘔吐時に液分固化剤が飛散することが無いので嘔吐者が吸引することを防止し、清浄用紙片を嘔吐袋に同封したことで嘔吐後の始末が容易くなった。このことにより、ウィルスや細菌を素早く封じ込めることが出来、飛散による感染を予防するなど安全性の向上と作業時間の短縮、清潔性を高めることを提供することが可能となった。
【考案を実施するための最良の形態】
【０００６】  本考案の嘔吐袋を使って嘔吐物の液分を吸収、固化する場合において、図１の嘔吐袋１の開封部１−１を切断して清浄用紙片３と液分固化剤２を取り出す。水に溶解する水溶性包装材２−１で包装された液分固化剤２は嘔吐袋底部１−２に投入し準備が完了する。口を図３の嘔吐袋入り口１−３に付けて嘔吐すると、嘔吐物中の液分が水溶性包装材２−１を素早く溶かして液分固化剤２が現出して嘔吐物が固形化する。次いで、先に外しておい清浄用紙片３で汚れた口や手などを拭いて嘔吐袋１中に入れて投入口１−３を閉じて処理は終了する。この処理で嘔吐物や嘔吐物中のウィルスや細菌は素早く閉じこめられるので嘔吐袋１の外に出にくい態様である。
【実施例】
【０００７】  以下、本考案を図面を用いて詳細に説明する。
図１は本考案の嘔吐袋の立面図で、図３は開封時の見取り図である。１は嘔吐袋本体で１−１は切り取り部で、開封のために切った後の本体部は入り口１−３である。該入り口１−３から取り外した液分固化剤２を水溶性包装材２−１で包んだものを投入し嘔吐袋底部１−２に固定して嘔吐行為をする。液分固化剤２は嘔吐袋内に密封されているために、誤飲、誤食を防ぎ、嘔吐時の飛散吸引することがない。３は口や手等を拭くための清浄紙片であり、該嘔吐袋のみで嘔吐の処理が完結できる。本考案の吸収、固化シートは取り扱いが簡単で、熟練の必要がなく迅速、安全、確実に嘔吐物を収容固定することができる態様となっている。【０００８】  図１〜図３の本考案の嘔吐袋の材質と寸法について以下に説明する。
嘔吐袋１の材質は紙にポリエチレンをラミネート、合成パルプ紙などが好ましく、嘔吐時に必要な嘔吐袋開口部１−３の口径を確保するのに横幅９ｃｍ〜１５ｃｍ、嘔吐物を収容する容積を確保するために縦幅１２ｃｍ〜２５ｃｍが好ましい態様である。液分固化剤３の材質はイソプロピルアクリルアミド、ポリアクリル酸Ｎａ塩等が好ましく、吸収速度の調節や液分吸収後の固形形状の調節や脱臭作用等のためにカオリン粘土や珪藻土、二酸化チタン等を混合し、使用量は成人と小児では嘔吐量に違いがあるが５ｇ〜２０ｇが適量である。また該液分固化材を包装する水溶性袋は水溶性紙、オブラート、トイレ用紙などが好ましい態様である。清浄用紙片は口や手と周辺を拭くためで５０〜２００ｃｍ２の紙片が適量であり、該紙片が水やアルコール等で湿潤されていれば更に好ましい態様である。【０００９】  図１、図２は嘔吐袋の立面図と側面図であるが、嘔吐袋切り取り部１−１を切り取って液分固化材２を包装した水溶性包装材２−１と清浄用紙片３を取り出す態様である。【００１０】  図３は前記図１、図２の嘔吐袋切り取り部１−１を切り取った嘔吐袋入口１−３から、先に取り出した液分固化剤２が包装された水溶性包装材２−１を投入し、嘔吐袋入口に口を付けて嘔吐を行なう。嘔吐物は５〜１０秒すると水溶性包装材２−１が溶解し、３０〜６０秒放置すると液状や泥状だった対象物がゲル状か固形状になる。嘔吐の行為が終了したら先に外しておいた清浄用紙片３で口や手を拭いて嘔吐袋に入れ、嘔吐袋入口１−３を閉じて対象物を閉じこめて完結する態様である。
【産業上の利用可能性】
【００１１】  嘔吐物の収容、処理を迅速、簡便に行なえることは勿論、嘔吐物液分固化剤の誤飲、誤食を防ぎ、使用時に固化剤を吸引することがない。清浄用紙片を保持したので該嘔吐袋だけで嘔吐処理が完結する。同時にウィルスや細菌に感染した感染者の嘔吐物を簡単迅速に固化、封じ込めを行なうため、処理する人の安全と取り巻く環境の安全性が高まった。
【図面の簡単な説明】
【００１２】
【図１】嘔吐袋の透視立面図
【図２】嘔吐袋の透視側面図
【図３】嘔吐袋を開封して液分固化剤を投入した際の見取り図
【符号の説明】
【００１３】  １    ：嘔吐袋
１−１：嘔吐袋切り取り部
１−２：嘔吐袋底部
１−３：嘔吐袋入口
２    ：液分固化剤
２−２：水溶性包装材
３    ：清浄用紙片
【図１】
0003143048.tif 000003
【図２】
0003143048.tif 000004
【図３】
0003143048.tif 000005
【手続補正書】
【提出日】平成20年4月3日(2008.4.3)
【手続補正１】
【補正対象書類名】実用新案登録請求の範囲
【補正対象項目名】全文
【補正方法】変更
【補正の内容】
【実用新案登録請求の範囲】
【請求項１】
嘔吐物の液分を固化するための液分固化剤が入った袋を嘔吐物処理袋の中に備えた事を特徴とする嘔吐物処理袋
【請求項２】
前記、請求項１の嘔吐物処理袋で、液分固化剤が入った袋は嘔吐物の水分で溶けて液分固化剤が現出する構成になっている事を特徴とする嘔吐物処理袋
【請求項３】
前記、請求項１、２の嘔吐物処理袋で、液分固化剤が入った袋と清浄用の紙片を保持する構成になっている事を特徴とする嘔吐物処理袋